(57)【要約】【課題】人体創腔から滲出液等の排液を取り去る手段として自然排出法と吸引排出法を適宜選択することができ、カテーテルと容器との脱着する手間を省くことができると共に、感染の危険性を少なくすることができる医療用排出用具及びこの医療用排出用具とカテーテルとをセット化した医療用排出用具セットを提供すること。【解決手段】接続部材Ａを有する流入口Ａ及び開閉部材Ａを有する排出口Ａを備え、且つ陰圧発生機能を有した容器本体Ａと、接続部材Ｂを有する流入口Ｂ及び開閉部材Ｂを有する排出口Ｂを備えた袋状の容器本体Ｂと、からなり、前記容器本体Ａの排出口Ａと、前記容器本体Ｂの接続部材Ｂとは着脱自在であることを特徴とする。【選択図】  図２
2008206879.tif 000002
【特許請求の範囲】
【請求項１】
カテーテルと接続して用いる医療用排液用具であって、
接続部材Ａを有する流入口Ａ及び開閉部材Ａを有する排出口Ａを備え、且つ陰圧発生機能を有した容器本体Ａと、
接続部材Ｂを有する流入口Ｂ及び開閉部材Ｂを有する排出口Ｂを備えた袋状の容器本体Ｂと、からなり、
前記容器本体Ａの排出口Ａと、前記容器本体Ｂの接続部材Ｂとは着脱自在であることを特徴とする医療用排液用具。
【請求項２】
前記流入口Ａ及びＢの内部には、それぞれ逆止弁Ａ及びＢが付設されており、前記逆止弁Ａ及びＢはそれぞれ容器本体Ａ及びＢの内側方向に開口している請求項１に記載の医療用排液用具。
【請求項３】
前記容器本体Ａの接続部材Ａは、前記カテーテルと接続するものである請求項１又は２に記載の医療用排液用具。
【請求項４】
前記容器本体Ｂの接続部材Ｂは、前記カテーテルと接続するものである請求項１又は２に記載の医療用排液用具。
【請求項５】
請求項１〜４のいずれかに記載の医療用排液用具と、前記カテーテルと、をセット化したことを特徴とする医療用排液用具セット。
【発明の詳細な説明】
【技術分野】
【０００１】
本発明は、医療用排出用具及び医療用排出用具セットに関するものである。
【背景技術】
【０００２】
一般に人体創腔から滲出液等の排液を取り去る手段として、体腔の内圧、毛細管現象、落差等を利用した自然排出法によるものと、陰圧を発生する吸引器を用いて持続的な吸引を行う吸引排出法とがあることが知られている。前者は主に術後の縫合不全などの手術施行に伴い引き起こされた異常状態をすみやかに知る目的で使用され、滲出液を排出誘導するためのカテーテルが創腔内に挿入されて中空容器や袋形態容器が接続されている。一方、後者は術後出血、消化管液、滲出液等が貯留している場合、または貯留が予想される場合の感染を予防する目的や外傷などにより貯留した膿瘍、血腫の誘導を目的に創腔内に挿入されて吸引集液器に接続して使用され、吸引集液器内に発生した陰圧によって創腔内の滲出液が吸引集液器内に集積、貯留される。
【０００３】
吸引集液器内に陰圧を発生させる機構は種々のものがあり、第一に弾性容器又は軟性容器内にバネを内蔵したものあるいは容器自体が蛇腹になっているもので容器圧縮後の膨張作用を利用したもの（例えば、特許文献１参照）、第二に剛性容器内で膨張収縮自在なバルーン部材の収縮する作用を利用したもの、第三に剛性容器内で気密を保持するガスケットを容積ゼロの状態から摺動させることにより容積を拡大することによる作用を利用したもの等が使用されている。
【０００４】
前記自然排出法を試みたが排液の粘性が高い場合などで想定した排出効果が得られない場合、カテーテルのミルキング操作や持続吸引に切り替えなければならないことがある。また、術直後は吸引集液器による吸引排出を行うが、積極的な吸引排出を行うことによりいつまでも滲出液が止まらず治癒が遅れる場合があり、途中で自然排出法に切り替えるなどの措置が必要となる場合がある。この場合、吸引集液器からカテーテルを取外す処置及び新たな集液容器に取付ける処置が必要となり、処置に手間が掛かるのはもちろん感染の危険性もあった。
【０００５】
【特許文献１】特開昭５９−０９７６６６号公報
【発明の開示】
【発明が解決しようとする課題】
【０００６】
本発明は、従来のこのような問題点を解消することを目的とするもので、人体創腔から滲出液等の排液を取り去る手段として自然排出法と吸引排出法とを適宜選択することができ、カテーテルと容器との脱着する手間を省くことができると共に、感染の危険性を少なくすることができる医療用排出用具及び上記医療用排出用具とカテーテルとをセット化した医療用排出用具セットを提供するものである。
【課題を解決するための手段】
【０００７】
このような目的は、下記の（１）〜（５）に記載の本発明により達成される。
（１）カテーテルと接続して用いる医療用排液用具であって、
接続部材Ａを有する流入口Ａ及び開閉部材Ａを有する排出口Ａを備え、且つ陰圧発生機能を有した容器本体Ａと、
接続部材Ｂを有する流入口Ｂ及び開閉部材Ｂを有する排出口Ｂを備えた袋状の容器本体Ｂと、からなり、
前記容器本体Ａの排出口Ａと、前記容器本体Ｂの接続部材Ｂとは着脱自在であることを特徴とする医療用排液用具。
（２）前記流入口Ａ及びＢの内部には、それぞれ逆止弁Ａ及びＢが付設されており、前記逆止弁Ａ及びＢはそれぞれ容器本体Ａ及びＢの内側方向に開口している（１）に記載の医療用排液用具。
（３）前記容器本体Ａの接続部材Ａは、前記カテーテルと接続するものである（１）又は（２）に記載の医療用排液用具。
（４）前記容器本体Ｂの接続部材Ｂは、前記カテーテルと接続するものである（１）又は（２）に記載の医療用排液用具。
（５）（１）〜（４）のいずれかに記載の医療用排液用具と、前記カテーテルと、をセット化したことを特徴とする医療用排液用具セット。
【発明の効果】
【０００８】
本発明は、人体創腔から滲出液等の排液を取り去る手段として自然排出法と吸引排出法を適宜選択することができ、カテーテルと容器との脱着する手間を省くことができると共に、感染の危険性を少なくすることができる医療用排出用具、及び上記医療用排出用具とカテーテルとをセット化した医療用排出用具セットを提供するものである。
【発明を実施するための最良の形態】
【０００９】
本発明は、カテーテルと接続して用いる医療用排液用具であって、
接続部材Ａを有する流入口Ａ及び開閉部材Ａを有する排出口Ａを備え、且つ陰圧発生機能を有した容器本体Ａと、
接続部材Ｂを有する流入口Ｂ及び開閉部材Ｂを有する排出口Ｂを備えた袋状の容器本体Ｂと、からなり、
前記容器本体Ａの排出口Ａと、前記容器本体Ｂの接続部材Ｂとは着脱自在であることを特徴とする医療用排液用具である。
また、前記医療用排液用具と、前記カテーテルとをセット化したことを特徴とする医療用排液用具セットである。
【００１０】
以下、図面を用いてまず、本発明の医療用排出用具を詳細に説明する。
図１は本発明による医療用排出用具の一実施例を示す概略図であり、（ａ）は容器本体Ａ、（ｂ）は容器本体Ｂを示す。
【００１１】
本発明の医療用排出用具に用いられる容器本体Ａ（１）は上部に人体から排出される排液の入口である流入口Ａ（２）と、下部に容器からの排液の出口である排出口Ａ（５）とが設置されている。更に流入口Ａ（２）には、人体からの滲出液を誘導するカテーテルを接続するための接続部Ａ（３）及び容器内には容器内側に開口する逆止弁Ａ（４）を備えている。また排出口Ａ（５）には、例えば封止キャップ形態、クランプ形態等の開閉部材Ａ（６）を備えていることが好ましい。ここで、流入口Ａ（２）は直接カテーテルを接続してもいいし、カテーテルと接続して用いる接続用チューブを接続しても構わない。
【００１２】
上記排出口Ａ（５）は後述する排液容器Ｂの流入口Ｂ（１２）に設けられた接続部材Ｂ（１３）と接続することが可能である。
また、排出口Ａ（５）は開閉部材Ａ（６）を有している。開閉部材Ａの形状は特に限定されないが、例えば封止キャップ形態を選定した場合には、接続部材Ｂ（１３）を数日間接続した後に、やや拡大した排出口Ａ（５）を閉鎖可能な寸法に設計されることが好ましい。
【００１３】
容器本体Ａ（１）は陰圧発生機能を有していることを特徴とする。陰圧発生機能を有することで、吸引排出法に好ましく用いることができる。上記容器本体Ａ（１）の形態的には特に限定されないが、例えば５０〜１００ｍＬの略球形状の弾性体容器を用いることができる。この弾性体容器は押し潰した際に、戻ろうとする復元力により吸引力が発生可能なものが好ましい。
【００１４】
上記容器本体Ａの吸引圧力は容器本体Ａ（１）の材質、肉厚の選定により適宜決定されるもので特に限定されるものではない。更に弾性力を発揮する手段としては、容器本体Ａ（１）を蛇腹形状としたり、容器内にバネを設置することも可能であり特に限定されるものではない。また、容器本体Ａ（１）は排液貯留量を計測するための目盛Ａ（７）を設置することが望ましい。
【００１５】
本発明の医療用排出用具に用いられる容器本体Ｂ（１１）は上部に人体から排出される排液の入口である流入口Ｂ（１２）と下部に容器からの排液の出口である排出口Ｂ（１５）が設置されている。更に流入口Ｂ（１２）には、前記容器本体Ａの排出口Ａ（５）に接続可能な接続部材Ｂ（１３）及び容器内には容器内側に開口する逆止弁Ｂ（１４）を備えている。また排出口Ｂ（１５）には、例えば封止キャップ形態、クランプ形態等の開閉部材Ｂ（１６）を備えている。流入口Ｂ（１２）に設けられた接続部材Ｂ（１３）は、人体からの滲出液を誘導するカテーテルを接続することができる。ここで、流入口Ｂ（２）は直接カテーテルを接続してもいいし、カテーテルと接続して用いる接続用チューブを接続しても構わない。
【００１６】
容器本体Ｂ（１１）の形態は袋状であることを特徴とする。袋状とすることで自然排出法に好ましく用いることができる。容量としては特に限定されないが、例えば５００〜１０００ｍＬの略長方形状のものが好ましい。
また、容器本体Ｂには排液貯留量を計測するための目盛Ｂ（１７）、排液の貯留効率を高めるためのフィルター（１８）及びベッド下などに設置するための吊り紐（１９）等を適宜設置することができる。
【００１７】
次に、本発明の医療用排出用具セットについて説明する。
本発明の医療用排出用具セットは、上記本発明の医療用排出用具と、カテーテルとがセット化されていることを特徴とする。上記本発明汚医療用排出用具と、カテーテルがセット化されていることにより、緊急時にも素早く対応することができ、ベッドサイドでの使用も容易になる。
【００１８】
本発明の医療用排出用具セットに用いられるカテーテルの種類は、特に限定されないが、例えばペンローズドレーン、側孔付きのラウンドドレーン、内面にリブが付設された扁平ドレーン等を用いることができる。
上記カテーテルの材質は、特に限定されないが、ラテックス、塩化ビニール、シリコーンゴム等を好ましく用いることができる。
【００１９】
次に図２〜４を用いて本発明の医療用排出用具の使用方法及び特徴を本発明の医療用排出用具の一実施例を用いて説明するが、本発明はこの実施例に限定されるものではない。
【００２０】
通常は図２のように人体からの滲出液を誘導するカテーテル（２１）のコネクター（２２）に接続チューブ（２３）を介して容器本体Ａ（１）と容器本体Ｂ（１１）とを直列に接続する。容器本体Ａ（１）を押し潰すことにより持続吸引が開始され、体内から排液が排出され、容器本体Ａ（１）内に排液が貯留したら再度本体Ａ（１）を押し潰して、排液を容器本体Ｂ（１１）内に移動させると同時に吸引を再開することができる。こうすることにより、吸引排出法で問題となる容器から排液を排出する際の処置による感染の危険性を少なくすることができる。
【００２１】
なお、容器本体Ａ（１）を押し潰さず使用することで自然排出法としても使用可能である。即ち、体腔の内圧、毛細管現象、落差等によって逆止弁Ａ（４）、逆止弁Ｂ（１４）を開放させ、容器本体Ｂ（１１）内に排液を貯留させることができる。こうすることにより、吸引排出法から自然排出法に切り替える際の処置、即ち、カテーテルと容器との脱着する手間を省くことができると共に、感染の危険性を少なくすることができる。
【００２２】
更に容器本体Ａ（１）と容器本体Ｂ（１１）とのいずれか一方のみで使用することも可能であり、創部を密着させ早期治癒を促すため持続吸引を必要とするが、排液があまり排出されない場合は図３のごとくカテーテルと容器本体Ａ（１）のみの接続使用とし、吸引が不要となり自然排出法として用いる場合は図４のごとくカテーテル（２１）と容器本体Ｂ（１１）のみを接続して用いることができる。
【図面の簡単な説明】
【００２３】
【図１】本発明の実施例となる医療用排出用具の概略を示した正面図で、（ａ）は容器本体Ａ、（ｂ）は容器本体Ｂを示す。
【図２】本発明の一実施例となる医療用吸引集液器の使用形態を示した正面図。
【図３】本発明の一実施例となる医療用吸引集液器の別使用形態を示した正面図。
【図４】本発明の一実施例となる医療用吸引集液器の別使用形態を示した正面図。
【符号の説明】
【００２４】
１    容器本体Ａ
２    流入口Ａ
３    接続部材Ａ
４    逆止弁Ａ
５    排出口Ａ
６    開閉部材Ａ
７    目盛Ａ
１１  容器本体Ｂ
１２  流入口Ｂ
１３  接続部材Ｂ
１４  逆止弁Ｂ
１５  排出口Ｂ
１６  開閉部材Ｂ
１７  目盛Ｂ
１８  フィルター
１９  吊り紐
２１  カテーテル
２２  コネクター
２３  接続チューブ
２４  接続チューブコネクターＡ
２５  接続チューブコネクターＢ
【図１】
2008206879.tif 000003
【図２】
2008206879.tif 000004
【図３】
2008206879.tif 000005
【図４】
2008206879.tif 000006